Podtech/llm-jp-corpus-v4-ja_patent huggingface dataset:
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
原稿を含む領域をスキャンして得られた画像データに対し前記原稿の領域のクロップ処理を行う画像処理装置であって、
原稿をスキャンしたスキャナからの信号値を第１の白色基準値を用いて正規化することにより得られた第１の画像から、エッジ成分を検出することにより、前記第１の画像内の前記原稿の位置情報を取得する検出手段と、
前記原稿をスキャンしたスキャナからの信号値を第２の白色基準値を用いて正規化することにより得られた第２の画像から、前記取得した位置情報に基づいて、前記原稿に対応する画像領域を切り出すクロッピング手段と、
を備え、
前記第１の白色基準値は、前記第２の白色基準値よりも高い、
ことを特徴とする画像処理装置。
【請求項２】
前記原稿を載置するための原稿台と、
前記原稿台に載置された原稿をスキャンする前記スキャナと、
前記スキャナを制御する制御手段と、
をさらに備え、
前記制御手段は、前記原稿台に載置された原稿をスキャンするように前記スキャナを制御し、前記第１の白色基準値と前記第２の白色基準値とを用いて前記第１及び第２の画像を生成する
ことを特徴とする請求項１に記載の画像処理装置。
【請求項３】
前記制御手段は、前記第１の画像を生成するためのスキャンと、前記第２の画像を生成するためのスキャンとを、別に行なうように前記スキャナを制御することを特徴とする請求項２又は３に記載の画像処理装置。
【請求項４】
前記第１の白色基準値は、白色基準板をスキャンすることで得られた信号値よりも高い値であることを特徴とする請求項１乃至３のいずれか一項に記載の画像処理装置。
【請求項５】
前記検出手段は、前記第１の画像に対して低解像度化する処理を行い、当該低解像度化された第１の画像からエッジ成分を検出することにより、前記低解像度化された第１の画像内の前記原稿の位置情報を取得することを特徴とする請求項１乃至４のいずれか一項に記載の画像処理装置。
【請求項６】
前記検出手段は、前記第１の画像を１チャンネルの画像に変換するグレー化変換処理を行い、当該１チャンネルに変換された第１の画像からエッジ成分を検出することにより、前記１チャンネルに変換された第１の画像内の前記原稿の位置情報を取得することを特徴とする請求項１乃至４のいずれか一項に記載の画像処理装置。
【請求項７】
前記検出手段は、前記第１の画像に対して、１チャンネルの画像に変換するグレー化変換処理と、低解像度の画像に変換する低解像度化処理とを行い、当該１チャンネルに変換され且つ低解像度化された第１の画像から、エッジ成分を検出することにより、前記１チャンネルに変換され且つ低解像度化された第１の画像内の前記原稿の位置情報を取得することを特徴とする請求項１乃至４のいずれか一項に記載の画像処理装置。
【請求項８】
前記第１の画像と前記第２の画像との間にある位置ずれが解消するように、前記取得した位置情報を補正する補正手段をさらに備え、
前記クロッピング手段は、補正された位置情報に基づいて、前記第２の画像から、前記原稿に対応する画像領域を切り出す
ことを特徴とする請求項１乃至７のいずれか一項に記載の画像処理装置。
【請求項９】
前記検出手段は、前記原稿の形状が矩形である場合、当該矩形の４頂点座標を前記位置情報として取得することを特徴とする請求項１乃至８のいずれか一項に記載の画像処理装置。
【請求項１０】
前記検出手段は、前記原稿の形状が矩形以外の形状である場合、当該原稿の最小外接矩形を求め、その４頂点座標を前記位置情報として取得することを特徴とする請求項１乃至８のいずれか一項に記載の画像処理装置。
【請求項１１】
原稿を含む領域をスキャンして得られた画像データに対する前記原稿の領域のクロップ処理を行う方法であって、
前記原稿をスキャンしたスキャナからの信号値を第１の白色基準値を用いて正規化することにより得られた第１の画像から、エッジ成分を検出することにより、前記第１の画像内の前記原稿の位置情報を取得するステップと、
前記原稿をスキャンしたスキャナからの信号値を第２の白色基準値を用いて正規化することにより得られた第２の画像から、前記取得した位置情報に基づいて、前記原稿に対応する画像領域を切り出すステップと、
を含み、
前記第１の白色基準値は、前記第２の白色基準値よりも高い、
ことを特徴とする方法。
【請求項１２】
コンピュータを、請求項１乃至１０のいずれか１項に記載の画像処理装置として機能させるためのプログラム。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
身体を押圧する押圧部と、前記押圧部から縦方向に延びるフレームにおいて横方向に指を掛ける把持部とを設け、前記フレームは側面から見て中央付近から上方は前方に曲げられており、前記フレームの中央付近の横方向における幅を前記把持部の横方向における幅より小さくしたことを特徴とする押圧具。
【請求項２】
前記フレームにおいて環状部を形成し、前記環状部の一部を前記把持部とすることを特徴とする請求項１に記載の押圧具。
【請求項３】
前記フレームは側面から見て下端付近は後方へ曲げて形成したことを特徴とする請求項１又は請求項２に記載の押圧具。
【手続補正２】
【補正対象書類名】明細書
【補正対象項目名】０００６
【補正方法】変更
【補正の内容】
【０００６】  本発明の押圧具は、身体を押圧する押圧部と、前記押圧部から縦方向に延びるフレームにおいて横方向に指を掛ける把持部とを設け、前記フレームは側面から見て中央付近から上方は前方に曲げられており、前記フレームの中央付近の横方向における幅を前記把持部の横方向における幅より小さくしたたことを主要な特徴とする。
【手続補正３】
【補正対象書類名】明細書
【補正対象項目名】０００８
【補正方法】変更
【補正の内容】
【０００８】  さらに、本発明の押圧具として、前記フレームは側面から見て下端付近は後方へ曲げて形成してもよい。
【手続補正４】
【補正対象書類名】明細書
【補正対象項目名】０００９
【補正方法】変更
【補正の内容】
【０００９】  本発明の押圧具は、前記押圧部から縦方向に延びるフレームにおいて横方向に指を掛ける前記把持部を設け、前記フレームは側面から見て中央付近から上方は前方に曲げられており、前記フレームの中央付近の横方向における幅を前記把持部の横方向における幅より小さくしているため、縦方向に握り持つ従来の押圧具とは異なり、握力が弱くても前記把持部を軽く握って指をフックのように前記把持部に掛けることができるので、握っている手が押し引きする縦方向にずれたり、はずれたりする問題を可及的に抑えることができ、楽に継続使用することができる。特に、デスクワークなどの場合、文具や電子機器などを使用している手の他方の手で手軽に指を掛けるだけで押し引きして楽に押圧マッサージを実施することができる。特に身体の首の付け根を押圧する時、手首や腕の位置や角度をあまり変更させずに前記押圧部が首の後ろ中央にまで届きやすくなるので、手首の疲れを抑えながら楽に使用でき、且つ前記押圧部を所望する身体部位に当接させやすくなり、その分楽な気持ちで継続使用することができる。
【手続補正５】
【補正対象書類名】明細書
【補正対象項目名】００１１
【補正方法】変更
【補正の内容】
【００１１】  さらに、本発明の押圧具として、前記フレームは側面から見て下端付近は後方へ曲げて形成するなら、身体の肩を前記押圧部で押圧する際、胴体と前記把持部との間に隙間が生じるので、前記把持部を持つ手の指が、胴体と前記把持部との隙間に入っても胴体に当接することを軽減できる。そのため、前記把持部を押し引きしやすくなり、楽に継続使用することができる。
【手続補正６】
【補正対象書類名】明細書
【補正対象項目名】００１７
【補正方法】変更
【補正の内容】
【００１７】  前記把持部４は、図４に示すように前記フレーム２の下端に設け、指を横方向に並べて掛けられるように形成している。前述のように前記フレーム２の下端付近は後方へ曲げて形成しているため、図２に示すように身体の肩Ｓを前記押圧部３で押圧する際、胴体Ｂと前記把持部４との間に隙間が生じるので、前記把持部４を持つ前記手Ｈの指が、胴体Ｂと前記把持部４との隙間に入っても胴体Ｂに当接することを軽減できる。そのため、前記把持部４を押し引きしやすくなり、楽に継続使用することができる。
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
遊技者による所定動作を演出に供されるように受付対象とする第１動作受付手段と、
遊技者による特定動作を演出に供されるように受付対象とする第２動作受付手段と、
判定を行う判定手段と、
前記判定手段による判定の結果に基づいて図柄変動を行う図柄変動手段と、
前記図柄変動にて特別態様が現れると遊技者に特典を付与しうる特典付与手段と、
第１演出条件が満たされたとき、前記第１動作受付手段によって遊技者による所定動作の受付けが許容される第１の受付期間を発生させる第１演出を実行可能であり、該第１演出の前記第１の受付期間内において所定動作の受付けがなされると、該受付けがなされたことに基づいて受付後演出を実行可能な第１受付演出実行手段と、
第２演出条件が満たされたとき、前記第２動作受付手段によって遊技者による特定動作の受付けが許容される第２の受付期間を発生させる第２演出を実行可能であり、該第２演出の前記第２の受付期間内において特定動作の受付けがなされると、該受付けがなされたことに基づいて受付後演出を実行可能な第２受付演出実行手段と、
前記第１演出の前記第１の受付期間内において所定動作の受付けがなされなかったとき、該第１の受付期間内において所定動作の受付けがなされたときと同じ受付後演出を実行可能な第１自動演出手段と、
前記第２演出の前記第２の受付期間内において特定動作の受付けがなされなかったとき、該第２の受付期間内において特定動作の受付けがなされたときと同じ受付後演出を実行可能な第２自動演出手段と
を備え、
前記第１自動演出手段によって受付後演出が実行される場合、少なくとも該受付後演出が実行開始されてからの所定の期間で、前記所定動作が受付対象であることを示唆する表示が行われており、
前記第２自動演出手段によって受付後演出が実行される場合、少なくとも該受付後演出が実行開始されてからの所定の期間で、前記特定動作が受付対象であることを示唆する表示が行われており、
さらに、
前記判定手段による判定の結果に基づいて図柄変動が行われる場合、該図柄変動が開始されてから終了されるまでの一の変動期間内で前記第１演出条件が満たされて前記第１演出が実行される割合と、前記第２演出条件が満たされて前記第２演出が実行される割合とが異なるようになっており、
さらに、
前記第１動作受付手段によって遊技者による所定動作の受付けが許容される期間の発生に際しては受付許容音が出力可能とされ、該受付許容音は、所定態様及び特別態様を含む複数態様のいずれかで出力されうるようになっており、
前記第１動作受付手段によって遊技者による所定動作の受付けが許容される期間の発生に際して前記受付許容音が前記特別態様で出力される場合は、当該期間内において所定動作の受付けがなくても該受付けがあったときと同じ受付後演出が生じるが、
前記第１動作受付手段によって遊技者による所定動作の受付けが許容される期間の発生に際して前記受付許容音が前記所定態様で出力される場合は、当該期間内において所定動作の受付けがなくても該受付けがあったときと同じ受付後演出が生じる場合と、当該期間内において所定動作の受付けがないときに該受付けがあったときと同じ受付後演出を生じさせない場合との両方がある
ことを特徴とする遊技機。
【手続補正２】
【補正対象書類名】明細書
【補正対象項目名】０００７
【補正方法】変更
【補正の内容】
【０００７】
手段１：遊技者による所定動作を演出に供されるように受付対象とする第１動作受付手段と、
遊技者による特定動作を演出に供されるように受付対象とする第２動作受付手段と、
判定を行う判定手段と、
前記判定手段による判定の結果に基づいて図柄変動を行う図柄変動手段と、
前記図柄変動にて特別態様が現れると遊技者に特典を付与しうる特典付与手段と、
第１演出条件が満たされたとき、前記第１動作受付手段によって遊技者による所定動作の受付けが許容される第１の受付期間を発生させる第１演出を実行可能であり、該第１演出の前記第１の受付期間内において所定動作の受付けがなされると、該受付けがなされたことに基づいて受付後演出を実行可能な第１受付演出実行手段と、
第２演出条件が満たされたとき、前記第２動作受付手段によって遊技者による特定動作の受付けが許容される第２の受付期間を発生させる第２演出を実行可能であり、該第２演出の前記第２の受付期間内において特定動作の受付けがなされると、該受付けがなされたことに基づいて受付後演出を実行可能な第２受付演出実行手段と、
前記第１演出の前記第１の受付期間内において所定動作の受付けがなされなかったとき、該第１の受付期間内において所定動作の受付けがなされたときと同じ受付後演出を実行可能な第１自動演出手段と、
前記第２演出の前記第２の受付期間内において特定動作の受付けがなされなかったとき、該第２の受付期間内において特定動作の受付けがなされたときと同じ受付後演出を実行可能な第２自動演出手段と
を備え、
前記第１自動演出手段によって受付後演出が実行される場合、少なくとも該受付後演出が実行開始されてからの所定の期間で、前記所定動作が受付対象であることを示唆する表示が行われており、
前記第２自動演出手段によって受付後演出が実行される場合、少なくとも該受付後演出が実行開始されてからの所定の期間で、前記特定動作が受付対象であることを示唆する表示が行われており、
さらに、
前記判定手段による判定の結果に基づいて図柄変動が行われる場合、該図柄変動が開始されてから終了されるまでの一の変動期間内で前記第１演出条件が満たされて前記第１演出が実行される割合と、前記第２演出条件が満たされて前記第２演出が実行される割合とが異なるようになっており、
さらに、
前記第１動作受付手段によって遊技者による所定動作の受付けが許容される期間の発生に際しては受付許容音が出力可能とされ、該受付許容音は、所定態様及び特別態様を含む複数態様のいずれかで出力されうるようになっており、
前記第１動作受付手段によって遊技者による所定動作の受付けが許容される期間の発生に際して前記受付許容音が前記特別態様で出力される場合は、当該期間内において所定動作の受付けがなくても該受付けがあったときと同じ受付後演出が生じるが、
前記第１動作受付手段によって遊技者による所定動作の受付けが許容される期間の発生に際して前記受付許容音が前記所定態様で出力される場合は、当該期間内において所定動作の受付けがなくても該受付けがあったときと同じ受付後演出が生じる場合と、当該期間内において所定動作の受付けがないときに該受付けがあったときと同じ受付後演出を生じさせない場合との両方がある
ことを特徴とする遊技機。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１面と第２面のうち前記第１面に複数の電子部品が実装されるとともに、前記第１面と前記第２面に配線パターンが形成された基板を備え、
前記複数の電子部品は、前記基板の前記第１面と前記第２面を貫通するスルーホールに端子を挿通させ、スルーホールと端子をハンダ付けすることで前記基板に固定され、
前記基板に、前記複数の電子部品のうち特定電子部品が固定される特定スルーホールが形成されており、
前記特定スルーホールは、前記第１面と前記第２面が導通せず、前記特定電子部品の端子が前記第２面からハンダ付けされたときにハンダが前記第１面に到達せず、
前記複数の電子部品は、複数の識別電子部品を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に実装されている、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１の遊技機は、
遊技が可能な遊技機であって、
第１面（実装面）と第２面（ハンダ面）のうち前記第１面（実装面）に複数の電子部品が実装されるとともに、前記第１面（実装面）と前記第２面（ハンダ面）に配線パターンが形成された基板（遊技制御基板）を備え、
前記複数の電子部品は、前記基板の前記第１面（実装面）と前記第２面（ハンダ面）を貫通するスルーホールに端子を挿通させ、スルーホールと端子をハンダ付けすることで前記基板（遊技制御基板）に固定され、
前記基板（遊技制御基板）に、前記複数の電子部品のうち特定電子部品が固定される特定スルーホールが形成されており、
前記特定スルーホールは、前記第１面（実装面）と前記第２面（ハンダ面）が導通せず、前記特定電子部品の端子が前記第２面（ハンダ面）からハンダ付けされたときにハンダが前記第１面（実装面）に到達せず、
前記複数の電子部品は、複数の識別電子部品を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に実装されている、
ことを特徴としている。
この特徴によれば、特定スルーホールは、第１面と第２面が導通せず、特定電子部品の端子が第２面からハンダ付けされたときにハンダが第１面に到達しないので、ハンダ付けした際に、ハンダが電子部品の実装される第１面側に上がりすぎて不具合の原因となることを防止できる。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定に応じた図柄変動で特定態様が現れると特典を付与しうる特典付与手段と、
演出に用いられる可動手段と、
操作受付が許容される受付演出状態を発生させるとともに、該受付演出状態で操作受付がなされると受付後変化を実行可能な受付演出発生手段と、
前記受付演出状態が発生する場合、操作受付が許容される期間が発生するよりも前に前兆演出表示を行う前兆演出表示手段と、
前記受付演出状態が発生する場合、操作受付が許容される期間へと移行すること、または操作受付が許容される期間へと移行したことを示唆する操作関連演出音を出力する操作関連音出力手段と
前記受付演出状態において、遊技者による操作対象を摸した摸画像表示を表示可能な摸画像表示手段と
を備え、
前記受付演出状態の種別として、前記受付後変化としての演出内容が異なる第１受付演出状態及び第２受付演出状態が少なくとも用意されており、前記第１受付演出状態が発生する場合にこれに対応して行われる前記前兆演出表示と、前記第２受付演出状態が発生する場合にこれに対応して行われる前記前兆演出表示とでは、それら前兆演出表示が開始されてから操作受付が許容される期間へと移行するまでの時間の長さが異なっており、
前記第２受付演出状態が発生する場合、前記前兆演出表示が開始されてから操作受付が許容される期間へと移行するまでの時間が前記第１受付演出状態の場合よりも長くされており、
前記第２受付演出状態が発生する場合にこれに対応して行われる前記操作関連演出音の再生区間は、当該第２受付演出状態での操作受付が許容される期間へと移行するよりも前の前記前兆演出表示が行われている期間と、当該第２受付演出状態での操作受付が許容される期間とに跨るように設定されており、
さらに、
前記第２受付演出状態が発生する場合にこれに対応して行われる前記前兆演出表示は、操作受付が許容される期間の発生タイミングを跨るかたちで表示可能とされるとともに、前記第２受付演出状態で操作受付がなされると前記摸画像表示が視認し難くなる摸画像重複表示が表示可能とされており、
前記第２受付演出状態において前記前兆演出表示が表示されているなかで前記操作受付がなされた場合、該操作受付に応じた前記受付後変化が実行開始される時点において、前記前兆演出表示は非表示の状態にされておらず表示されており且つ前記摸画像重複表示は未だ表示を開始していない状態になっている
ことを特徴とする遊技機。
【請求項２】
前記第１受付演出状態が発生する場合にこれに対応して行われる前記操作関連演出音の再生区間は、当該第１受付演出状態での操作受付が許容される期間内においては設定されているが、前記第１受付演出状態での操作受付が許容される期間へと移行するよりも前の前記前兆演出表示が行われている期間内には設定されていない
請求項１に記載の遊技機。
【手続補正２】
【補正対象書類名】明細書
【補正対象項目名】０００７
【補正方法】変更
【補正の内容】
【０００７】
手段１：判定を行う判定手段と、
前記判定手段の判定に応じた図柄変動で特定態様が現れると特典を付与しうる特典付与手段と、
演出に用いられる可動手段と、
操作受付が許容される受付演出状態を発生させるとともに、該受付演出状態で操作受付がなされると受付後変化を実行可能な受付演出発生手段と、
前記受付演出状態が発生する場合、操作受付が許容される期間が発生するよりも前に前兆演出表示を行う前兆演出表示手段と、
前記受付演出状態が発生する場合、操作受付が許容される期間へと移行すること、または操作受付が許容される期間へと移行したことを示唆する操作関連演出音を出力する操作関連音出力手段と
前記受付演出状態において、遊技者による操作対象を摸した摸画像表示を表示可能な摸画像表示手段と
を備え、
前記受付演出状態の種別として、前記受付後変化としての演出内容が異なる第１受付演出状態及び第２受付演出状態が少なくとも用意されており、前記第１受付演出状態が発生する場合にこれに対応して行われる前記前兆演出表示と、前記第２受付演出状態が発生する場合にこれに対応して行われる前記前兆演出表示とでは、それら前兆演出表示が開始されてから操作受付が許容される期間へと移行するまでの時間の長さが異なっており、
前記第２受付演出状態が発生する場合、前記前兆演出表示が開始されてから操作受付が許容される期間へと移行するまでの時間が前記第１受付演出状態の場合よりも長くされており、
前記第２受付演出状態が発生する場合にこれに対応して行われる前記操作関連演出音の再生区間は、当該第２受付演出状態での操作受付が許容される期間へと移行するよりも前の前記前兆演出表示が行われている期間と、当該第２受付演出状態での操作受付が許容される期間とに跨るように設定されており、
さらに、
前記第２受付演出状態が発生する場合にこれに対応して行われる前記前兆演出表示は、操作受付が許容される期間の発生タイミングを跨るかたちで表示可能とされるとともに、前記第２受付演出状態で操作受付がなされると前記摸画像表示が視認し難くなる摸画像重複表示が表示可能とされており、
前記第２受付演出状態において前記前兆演出表示が表示されているなかで前記操作受付がなされた場合、該操作受付に応じた前記受付後変化が実行開始される時点において、前記前兆演出表示は非表示の状態にされておらず表示されており且つ前記摸画像重複表示は未だ表示を開始していない状態になっている
ことを特徴とする遊技機。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
遊技媒体が入賞することにより遊技者に遊技価値を付与するとともに、前記有利状態へ制御される抽選をしない所定入賞領域と、
実行前の可変表示に対応した保留表示と、実行中の可変表示に対応した可変対応表示と、を含む対応表示を表示可能な対応表示手段と、
前記所定入賞領域への遊技媒体の入賞を契機に、対応表示の表示態様を変化させる変化演出を実行可能な変化演出実行手段と、を備え、
前記変化演出は、第１演出と、当該第１演出よりも後に実行され、当該変化演出の演出結果を報知する第２演出と、から構成され、
前記変化演出実行手段は、対応表示が表示されていない場合に、前記所定入賞領域へ遊技媒体が入賞したときは、前記変化演出として前記第１演出を実行した後に、当該第１演出に係る画像を消去する、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、可変表示を実行し、遊技者にとって有利な有利状態に制御可能な遊技機であって、
遊技媒体が入賞することにより遊技者に遊技価値を付与するとともに、前記有利状態へ制御される抽選をしない所定入賞領域と、
実行前の可変表示に対応した保留表示と、実行中の可変表示に対応した可変対応表示と、を含む対応表示を表示可能な対応表示手段と、
前記所定入賞領域への遊技媒体の入賞を契機に、対応表示の表示態様を変化させる変化演出を実行可能な変化演出実行手段と、を備え、
前記変化演出は、第１演出と、当該第１演出よりも後に実行され、当該変化演出の演出結果を報知する第２演出と、から構成され、
前記変化演出実行手段は、対応表示が表示されていない場合に、前記所定入賞領域へ遊技媒体が入賞したときは、前記変化演出として前記第１演出を実行した後に、当該第１演出に係る画像を消去する、
ことを特徴とする。
さらに、（１）上記目的を達成するため、本願発明に係る遊技機は、
可変表示を実行し、遊技者にとって有利な有利状態（例えば大当り遊技状態）に制御可能な遊技機（例えばパチンコ遊技機１）であって、
遊技媒体が入賞することにより遊技者に遊技価値（例えば賞球や封入式遊技機における得点）を付与するとともに、前記有利状態への制御とは関連しない所定入賞領域（例えば一般入賞口１０）と、
可変表示に対応した対応表示（例えば保留表示、アクティブ表示）を表示可能な対応表示手段（例えば対応表示処理を実行する演出制御用ＣＰＵ１２０）と、
前記所定入賞領域への遊技媒体の入賞を契機に、対応表示の表示態様を変化させる変化演出を実行可能な変化演出実行手段（例えばステップ２５ＡＫＳ０１３の処理を実行する演出制御用ＣＰＵ１２０）と、を備え、
前記変化演出は、第１演出（例えば導入演出）と、当該第１演出よりも後に実行され、当該変化演出の演出結果を報知する第２演出（例えば作用演出）と、から構成され、
前記変化演出実行手段は、対応表示が表示されていない場合に、前記所定入賞領域へ遊技媒体が入賞したときには、前記変化演出として前記第１演出を実行し（例えばステップ２５ＡＫＳ０１３の処理を実行し）、前記第２演出の実行を制限する（例えば図８−３参照）。
このような構成によれば、好適に演出を実行しつつ、興趣の低下を抑制できる。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
演出識別情報の可変表示を行い、特定表示結果が導出表示されたことにもとづいて遊技者にとって有利な有利状態に制御可能な遊技機であって、
動作可能に設けられた第１可動体と、
前記第１可動体とは異なる位置において動作可能に設けられた第２可動体と、
表示手段と、
遊技者の動作を検出可能な検出手段と、
前記検出手段によって遊技者の動作が検出されたことにもとづいて、前記第１可動体と前記第２可動体とを動作させる特定演出実行手段と、
を備え、
前記表示手段は、
第１キャラクタと第２キャラクタとを表示可能であるとともに、前記特定表示結果が導出表示されることを強調する強調表示態様にて演出識別情報を表示可能であり、
前記第１可動体が第１方向に向かって動作する場合に前記第１キャラクタを表示し、
前記第２可動体が前記第１方向とは異なる第２方向に向かって動作する場合に前記第２キャラクタを表示し、
前記第１可動体と前記第２可動体とが前記第１方向と前記第２方向のいずれとも異なる第３方向に向かって動作する場合に前記第１キャラクタと前記第２キャラクタとを表示し、
前記特定表示結果が導出表示される際に、前記第１可動体が動作する場合と前記第２可動体が動作する場合とで異なる強調表示態様にて前記演出識別情報を表示可能であり、
前記特定演出実行手段は、
第１の状況であるときに前記検出手段によって遊技者の動作が検出された場合には、前記第１可動体と前記第２可動体とを第１動作態様にて動作させ、
前記第１の状況とは異なる第２の状況であるときに前記検出手段によって遊技者の動作が検出された場合には、前記第１可動体と前記第２可動体とを第２動作態様にて動作させる、
ことを特徴とする遊技機。
【手続補正２】
【補正対象書類名】明細書
【補正対象項目名】０００６
【補正方法】変更
【補正の内容】
【０００６】
本発明の手段Ａに記載の遊技機は、演出識別情報の可変表示を行い、特定表示結果が導出表示されたことにもとづいて遊技者にとって有利な有利状態に制御可能な遊技機であって、
動作可能に設けられた第１可動体と、
前記第１可動体とは異なる位置において動作可能に設けられた第２可動体と、
表示手段と、
遊技者の動作を検出可能な検出手段と、
前記検出手段によって遊技者の動作が検出されたことにもとづいて、前記第１可動体と前記第２可動体とを動作させる特定演出実行手段と、
を備え、
前記表示手段は、
第１キャラクタと第２キャラクタとを表示可能であるとともに、前記特定表示結果が導出表示されることを強調する強調表示態様にて演出識別情報を表示可能であり、
前記第１可動体が第１方向に向かって動作する場合に前記第１キャラクタを表示し、
前記第２可動体が前記第１方向とは異なる第２方向に向かって動作する場合に前記第２キャラクタを表示し、
前記第１可動体と前記第２可動体とが前記第１方向と前記第２方向のいずれとも異なる第３方向に向かって動作する場合に前記第１キャラクタと前記第２キャラクタとを表示し、
前記特定表示結果が導出表示される際に、前記第１可動体が動作する場合と前記第２可動体が動作する場合とで異なる強調表示態様にて前記演出識別情報を表示可能であり、
前記特定演出実行手段は、
第１の状況であるときに前記検出手段によって遊技者の動作が検出された場合には、前記第１可動体と前記第２可動体とを第１動作態様にて動作させ、
前記第１の状況とは異なる第２の状況であるときに前記検出手段によって遊技者の動作が検出された場合には、前記第１可動体と前記第２可動体とを第２動作態様にて動作させる、
ことを特徴とする。
さらに、前記課題を解決するために、本発明の手段１に記載の遊技機は、
遊技が可能な遊技機（例えば、パチンコ遊技機１）であって、
動作可能に設けられた第１可動体（例えば、可動体０４２ＳＧ３０２Ｌ）と、
前記第１可動体とは異なる位置において動作可能に設けられた第２可動体（例えば、可動体０４２ＳＧ３０２Ｒ）と、
表示手段（例えば、画像表示装置５）と、
を備え、
前記表示手段は、
第１キャラクタ（例えば、図１１−１２に示す画像０４２ＳＧ５ｘ）と第２キャラクタ（例えば、図１１−１２に示す画像０４２ＳＧ５ｙ）とを表示可能であり、
前記第１可動体が動作される場合に前記第１キャラクタを表示し（例えば、図１１−１２に示すように、可動体０４２ＳＧ３０２Ｌのみが演出位置に向けて移動する場合には画像表示装置５に画像０４２ＳＧ５ｘが表示される部分）、
前記第２可動体が動作される場合に前記第２キャラクタを表示し（例えば、図１１−１２に示すように、可動体０４２ＳＧ３０２Ｒのみが演出位置に向けて移動する場合には画像表示装置５に画像０４２ＳＧ５ｙが表示される部分）、
前記第１可動体と前記第２可動体とが動作される場合に前記第１キャラクタと前記第２キャラクタとを表示する（例えば、図１１−１２に示すように、可動体０４２ＳＧ３０２Ｌと可動体０４２ＳＧ３０２Ｒとが演出位置に向けて移動する場合には画像表示装置５に画像０４２ＳＧ５ｘと画像０４２ＳＧ５ｙが表示される部分）
ことを特徴としている。
この特徴によれば、演出効果を高めることができる。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
可変表示を行い、当該可変表示の表示結果として特定表示結果が導出表示されたときに有利状態に制御可能な遊技機において、
前記有利状態とは異なる第１特別状態と前記第１特別状態よりも遊技者にとって有利な第２特別状態とに制御可能な状態制御手段と、
前記第２特別状態において、前記有利状態に制御されると前記有利状態制御後に前記第２特別状態に制御されることを予告する予告演出を複数の可変表示が実行される所定期間に亘って実行する予告演出実行手段と、
前記第２特別状態において、前記有利状態に制御されると前記有利状態制御後に前記第１特別状態に制御されることを示唆する示唆演出を実行可能な示唆演出実行手段と、を備え、
前記示唆演出実行手段は、前記予告演出が終了した後の可変表示において、当該可変表示の表示結果として前記特定表示結果が導出表示される場合と、当該可変表示の表示結果として前記特定表示結果が導出表示されない場合と、のいずれの場合に、前記予告演出が終了する前の可変表示よりも前記示唆演出を高い割合で実行し、
前記予告演出実行手段は、前記所定期間を遊技者が認識困難となるように前記予告演出を実行可能である、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、可変表示を行い、当該可変表示の表示結果として特定表示結果が導出表示されたときに有利状態に制御可能な遊技機において、
前記有利状態とは異なる第１特別状態と前記第１特別状態よりも遊技者にとって有利な第２特別状態とに制御可能な状態制御手段と、
前記第２特別状態において、前記有利状態に制御されると前記有利状態制御後に前記第２特別状態に制御されることを予告する予告演出を複数の可変表示が実行される所定期間に亘って実行する予告演出実行手段と、
前記第２特別状態において、前記有利状態に制御されると前記有利状態制御後に前記第１特別状態に制御されることを示唆する示唆演出を実行可能な示唆演出実行手段と、を備え、
前記示唆演出実行手段は、前記予告演出が終了した後の可変表示において、当該可変表示の表示結果として前記特定表示結果が導出表示される場合と、当該可変表示の表示結果として前記特定表示結果が導出表示されない場合と、のいずれの場合に、前記予告演出が終了する前の可変表示よりも前記示唆演出を高い割合で実行し、
前記予告演出実行手段は、前記所定期間を遊技者が認識困難となるように前記予告演出を実行可能である、
ことを特徴とする。
さらに、（手段１）本発明による遊技機は、所定条件の成立（例えば、大当り図柄の導出表示）に基づいて有利状態（例えば、大当り遊技状態）に制御可能な遊技機において、有利状態とは異なる第１特別状態（例えば、時短状態）と第１特別状態よりも遊技者にとって有利な第２特別状態（例えば、確変状態）とに制御可能な状態制御手段（例えば、遊技制御用マイクロコンピュータ１００（具体的には、ＣＰＵ１０３）と、第２特別状態において、有利状態に制御されると有利状態制御後に第２特別状態に制御されることを予告する予告演出（例えば、図８−１２（Ｂ），（Ｃ）および図８−１３（Ｂ），（Ｃ）に示す確変先読みゾーン演出）を実行する予告演出実行手段（例えば、演出制御用ＣＰＵ１２０におけるステップ０３２ＩＷＳ３１２を実行する部分）と、第１特別状態に制御されることを示唆する示唆演出（例えば、図８−１３（Ｄ）に示す非確変図柄をリーチ図柄としたリーチ演出）を実行する示唆演出実行手段（例えば、演出制御用ＣＰＵ１２０におけるステップ０３２ＩＷＳ８００４、ステップ０３２ＩＷＳ８００５でリーチ演出を含むプロセステーブルを選択してステップ０３２ＩＷＳ８００７および可変表示中演出処理（ステップＳ１７２）を実行する部分）とを備え、示唆演出実行手段は、予告演出が終了した後は示唆演出を高い割合で実行する（例えば、演出制御用ＣＰＵ１２０は、ステップ０３２ＩＷＳ４０７で、図８−８（Ａ）に示すように、高い確率で非確変図柄をリーチ図柄としたリーチ演出の実行を決定する。図８−１３参照。）ことを特徴とする。そのような構成によれば、予告演出後の演出効果を高めることができる。
【誤訳訂正書】
【提出日】令和2年12月3日(2020.12.3)
【誤訳訂正１】
【訂正対象書類名】明細書
【訂正対象項目名】００３７
【訂正方法】変更
【訂正の内容】
【００３７】
より大きく定められた撮影対象の被写体Ｐ内で限定照射野が特定されると、撮影された被写体内の限定照射野の位置に関するこの追加的な情報が、限定照射野からの投影画像の３Ｄ再構成で使用するための少なくとも１つの補正パラメータを定めるために、ステップ１１６で使われる。例えば、少なくとも１つの補正パラメータは、限定照射野の外側の解剖学的構造の局所的腫瘤分布（ｌｏｃａｌ  ｍａｓｓ  ｄｉｓｔｒｉｂｕｔｉｏｎ）及び／又は撮影された被写体内の限定照射野の相対的な位置及び大きさに関する位置情報を含むことができる。少なくとも１つの補正パラメータは、全被写体（ｆｕｌｌ  ｏｂｊｅｃｔｓ）の推定され、外挿され及び／又は一般化された情報で不完全な情報を補うことによって、限定照射野の再構成された画像から不統一な密度分布を無くすことができる関数又は値とすることができる。一実施形態では、補正パラメータは一次関数で典型的には三次元平面の関数とすることができる。この種の補正パラメータは、再構成された画像の全体的な密度分布を改善するために、密度分布に適用され又は密度分布を入れ替える。補正パラメータは、他の実施形態では、シミュレーションによって経験的に又は分析的に生成することができる。
【誤訳訂正２】
【訂正対象書類名】明細書
【訂正対象項目名】００４３
【訂正方法】変更
【訂正の内容】
【００４３】
それぞれの投影画像は、撮影されている被写体の三次元の区域（ｓｅｃｔｉｏｎ）を通過しているＸ線の二次元的表現であるので、限定照射野の投影画像は限定照射野ボリューム（ｌｉｍｉｔｅｄ  ｆｉｅｌｄ  ｏｆ  ｖｉｅｗ  ｖｏｌｕｍｅ）の外側の何らかの情報（ｓｏｍｅ  ｄｅｔａｉｌ）を含んでいる。加えて、少なくとも１つの定義済みの補正パラメータは、撮影された被写体内の関心対象の解剖学的構造の位置に関する情報を含むことができる。これにより限定照射野投影画像の３Ｄ再構成のコンテクストが得られ、限定照射野投影画像内に認められる、限定照射野ボリュームの外側からのその画像情報を識別するのに役立つ。すでに述べたように、撮影された被写体内に関心対象の解剖学的構造を位置付けることによって、密度が増している腫瘤の位置に関する情報が得られる。これらの腫瘤が限定照射野再構成の中か外かを判断することによって、不統一な密度分布又は誤って増加した密度値のアーチファクトを識別し、修正することができる。例えば、限定照射野の外側で密度が増した腫瘤の位置を特定することによって、被写体全体の全密度分布がより正確にわかり、そして、限定照射野投影画像内の密度分布をこの情報を反映するように修正することができる。さらなる実施形態では、少なくとも１つの補正パラメータは再構成のアーチファクト原因物に基づいている。補正パラメータは、限定照射野の再構成で生じる、このアーチファクト原因物の影響を減らしたり無くしたりするために用いることができる。例えば、すでに述べたように、識別された不統一な密度分布は、投影画像全体に適用される密度値又は関数を用いて再構成の密度分布を平坦化することによって修正することができる。さらに、限定照射野の外側の腫瘤の位置に基づいて再構成で誤って増加密度が分布した場合には、限定照射野内の密度分布を全被写体の密度分布を維持するために下方に修正することができる。
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
外側のアンダカットを有する金属構成部品を鋳造するための装置であって、
当該装置は、第１の端部部分（１２）と環状の側壁（１３）とを備えた基体（３）を有しており、前記側壁（１３）は、前記第１の端部部分（１２）に向かってテーパしている内面（１６）を有しており、
当該装置はさらに、前記基体（３）に挿入可能であって、鋳造しようとする前記構成部品（８）のための第１の成形面（２３）を形成する第１の金型部材（４）を有しており、
当該装置はさらに、前記基体（３）に挿入可能な複数の金型側方部材（５）を有しており、これらの金型側方部材（５）は挿入状態において、前記基体（３）の前記環状の側壁（１３）に半径方向において支持されて、鋳造しようとする前記構成部品（８）のための内側の成形面（１８）を備えた１つの金型リング（１７）を形成しており、
当該装置はさらに、前記金型側方部材（５）により形成された前記金型リング（１７）内へ、鋳造用の鋳造位置まで移動可能でありかつ鋳造しようとする前記構成部品（８）のための第２の成形面（３６）を形成する第２の金型部材（６）を有しているものにおいて、
前記金型側方部材（５）が前記基体（３）に挿入された状態において、前記第２の金型部材（６）は前記金型側方部材（５）に対して相対的に、軸線方向に可動であり、かつ鋳造位置では前記第１の金型部材（４）に対して完全に無接触状態で配置されていることを特徴とする、装置。
【請求項２】
前記第２の金型部材（６）を軸線方向（Ｒ１，Ｒ２）に動かすための操作装置（３７）が設けられており、前記第２の金型部材（６）は、鋳造しようとする前記構成部品（８）を加圧するために、前記第１の金型部材（４）に向かって前記鋳造位置を越えて可動である、請求項１記載の装置。
【請求項３】
前記第１の端部部分（１２）に向かってテーパしている成形面（２２）を備えた金型端部リング（２０）が設けられており、該金型端部リング（２０）は前記基体（３）に取り付けられており、前記金型端部リング（２０）は、前記基体（３）または前記第１の金型部材（４）と固く結合されている、請求項１または２記載の装置。
【請求項４】
前記金型側方部材（５）は、前記基体（３）の前記テーパしている内面（１６）と協働する外側の接触面（１９）を有しており、これにより前記金型側方部材（５）は、前記基体（３）内へ軸線方向に進入運動（Ｒ１）すると、半径方向内側に向かって互いに接近させられるようになっている、請求項１から３までのいずれか１項記載の装置。
【請求項５】
前記金型側方部材（５）により形成される前記金型リング（１７）の前記内側の成形面（１８）と、前記金型端部リング（２０）の前記テーパしている成形面（２２）の一部とは軸線方向で互いにつながっており、共に鋳造しようとする前記構成部品（８）のための型中空室（７）の側壁を形成している、請求項１から４までのいずれか１項記載の装置。
【請求項６】
前記金型側方部材（５）の前記挿入状態では、前記金型側方部材（５）のリング下縁（２１）と、前記第１の金型部材（４）の前記成形面（２３）との間に、流し込まれるべき前記型中空室（７）の一部であるギャップが形成されている、請求項１から５までのいずれか１項記載の装置。
【請求項７】
前記金型側方部材（５）は、それぞれ１つの支持体部材（２６）に取り付けられており、少なくとも２つの前記金型側方部材（５）と支持体部材（２６）とが設けられており、これらの支持体部材（２６）は、前記金型側方部材（５）を前記基体（３）内へ挿入するために、共に軸線方向に可動であり、これらの支持体部材（２６）は、保持板（２７）に対して半径方向に移動可能に保持されている、請求項１から６までのいずれか１項記載の装置。
【請求項８】
前記挿入状態において前記金型側方部材（５）を軸線方向に加圧するために、少なくとも１つの加圧ユニット（２５）が設けられている、請求項１から７までのいずれか１項記載の装置。
【請求項９】
開放方向（Ｒ２）での軸線方向運動が、前記支持体部材（２６）の互いから離れる半径方向移動を生ぜしめるように形成された、少なくとも１つの傾斜面配置部（３２）が設けられており、少なくとも１つの、軸線方向に移動可能な操作体（３３）が設けられており、前記傾斜面配置部（３２）は、前記操作体（３３）に対応配置された少なくとも１つの操作傾斜面（３４）と、対応する、１つの支持体部材（２６）に対応配置された少なくとも１つの作動傾斜面（３５）とを有しており、開放方向（Ｒ２）への前記操作体（３３）の軸線方向移動により、前記少なくとも１つの作動傾斜面（３５）は、対応する前記操作傾斜面（３４）に沿って滑動させられ、その結果、対応配置された前記支持体部材（２６）も半径方向外側に向かって移動させられるようになっており、前記支持体部材（２６）毎に１つの前記傾斜面配置部（３２）が設けられており、前記軸線方向に移動可能な操作体（３３）は全ての操作傾斜面（３４）を有しており、これにより、前記操作体（３３）が軸線方向に移動すると、全ての前記支持体部材（２６）も共に移動させられるようになっている、請求項１から８までのいずれか１項記載の装置。
【請求項１０】
前記第１の金型部材（４）、前記金型側方部材（５）および前記第２の金型部材（６）によって封入される前記型中空室（７）は、少なくとも０．５リットルの容積を有している、請求項１から９までのいずれか１項記載の装置。
【請求項１１】
請求項１から１０までのいずれか１項記載の鋳造装置により金属構成部品を製造するための方法において、
前記金型側方部材（５）を前記基体（３）に向かって軸線方向に進入させることにより、前記金型側方部材（５）の前記外面（１９）が、前記基体（３）の前記テーパしている内面（１６）に沿って案内され、これにより、前記金型側方部材（５）が周方向において互いに支持し合うと共に前記金型リング（１７）を形成しかつ該金型リング（１７）のリング下縁（２１）が、前記金型端部リング（２０）の前記テーパしている成形面（２２）に密着するまで、前記金型側方部材（５）は、半径方向内側に向かって互いに接近させられることを特徴とする、方法。
【請求項１２】
金属合金から成る溶融物（９）を加圧して前記鋳造装置（２）に流し込み、その際、前記第１の金型部材（４）の開口（１５）を介して前記溶融物を下方から前記型中空室（７）内へ、所定の鋳造圧力でもって流し込み、このとき前記金型側方部材（５）と前記第２の金型部材（６）とには、鋳造圧力よりも大きな保持圧力を加えるステップと、
前記型中空室（７）内の内部圧力を表す圧力信号を検出するステップと、
急な圧力上昇が検出された場合には鋳造圧力を低下させるステップと、
鋳造圧力を低下させて所定の時間が経過してから、前記第２の金型部材（６）を前記第１の金型部材（４）に対して相対的に移動させることで、前記溶融物から成る凝固中の前記構成部品（８）を加圧し、このとき鋳造圧力よりも大きな加圧力でもって前記構成部品（８）を加圧するステップとを有する、請求項１１記載の方法。
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
コネクタを受容するためのアダプタであって、
前記アダプタは、上面及び底面を有する１つ又は複数のポートであって、各々のポートが前記コネクタを受容するように構成されている１つ又は複数のポートを備え、
前記１つ又は複数のポートは、前記上面に少なくとも１つの切り欠き部を含み、
前記アダプタは、少なくとも１つの交換可能なアンカー装置を備え、前記１つ又は複数のポートは、前記少なくとも１つの交換可能なアンカー装置を解除可能に受容するように構成され、前記少なくとも１つの交換可能なアンカー装置は、前記１つ又は複数のポートにおける前記コネクタの受容に際して、前記コネクタと解除可能に連結するように構成されている、アダプタ。
【請求項２】
前記交換可能なアンカー装置は、上面と底面とを有するユニボディ構造を有し、
前記上面及び前記底面は、前記アンカー装置の少なくとも一部のための隙間によって分離されている、請求項１に記載のアダプタ。
【請求項３】
前記アンカー装置の前記上面及び前記底面は、前記アンカー装置の中央において実質的に接続されている、請求項２に記載のアダプタ。
【請求項４】
前記アンカー装置の前記上面及び前記底面は、前記アンカー装置の端において実質的に接続されている、請求項２に記載のアダプタ。
【請求項５】
前記アンカー装置の前記底面は、少なくとも１つのフック先端部と、少なくとも１つのフック傾斜面とを備える、請求項１に記載のアダプタ。
【請求項６】
ハウジングの表面に幅方向に延びる溝を含む前記ハウジングと、前記ハウジングに対する移動のために前記ハウジングによって支持されているプッシュプルタブであって、前記プッシュプルタブは相補的な溝を含んでいるプッシュプルタブと、を備えるコネクタと、
前記コネクタを受容するための１つ又は複数のポートと、第１の部分及び第２の部分を含んだアンカー装置であって、前記１つ又は複数のポートのうちの１つに位置しているアンカー装置と、備えるアダプタと
を備え、
前記溝は、前記コネクタが前記受容要素に挿入されるときに、前記アンカー装置の前記第１の部分を受容するように構成され、前記相補的な溝は、前記コネクタが前記受容要素に収容されるときに、前記アンカー装置の前記第２の部分を受容するように構成され、
前記プッシュプルタブは、前記ハウジングに対して移動されるときに、前記アンカー装置の前記第２の部分を前記相補的な溝から離脱させるように構成され、それによって前記アンカー装置の前記第１の部分を前記コネクタの前記溝から離脱させるネットワークシステム。
【請求項７】
前記ハウジングは、前記ハウジングの上面に沿って長さ方向に延びる凹部を更に備える、請求項６に記載のネットワークシステム。
【請求項８】
前記プッシュプルタブの前部分は、前記凹部に位置している、請求項７に記載のネットワークシステム。
【請求項９】
前記プッシュプルタブが前記ハウジングに接続されると、前記溝及び前記相補的な溝は、整列し、
前記プッシュプルタブが前記ハウジングの長さ方向に移動すると、前記溝と前記相補的な溝とが移動して整列がずれる、請求項６に記載のネットワークシステム。
【請求項１０】
前記溝と前記相補的な溝とが移動して整列がずれると、前記アンカー装置と前記プッシュプルタブとの間の連結は、解放される、請求項９に記載のネットワークシステム。
【請求項１１】
ユーザが工具を用いずに前記プッシュプルタブを前記ハウジングの長さ方向に沿って動かすことが可能になる後部分を更に備える、請求項９に記載のネットワークシステム。
【請求項１２】
前記アンカー装置は、上面及び底面を有するユニボディ構造を備え、
前記アンカー装置の前記上面及び前記底面は、前記アンカー装置の少なくとも一部のための隙間によって分離されている、請求項６に記載のネットワークシステム。
【請求項１３】
前記アンカー装置の前記上面及び前記底面は、前記アンカー装置の中央に実質的に接続されている、請求項１２に記載のネットワークシステム。
【請求項１４】
前記アンカー装置の前記上面及び前記底面は、前記アンカー装置の端に実質的に接続されている、請求項１２に記載のネットワークシステム。
【請求項１５】
前記アンカー装置の前記底面は、少なくとも１つのフック先端部と、少なくとも１つのフック傾斜面とを備える、請求項１２に記載のネットワークシステム。